(57)【要約】【課題】基本ページ上にパーツを張り付けられる画像表示装置において、パーツの表示／非表示の切り替えを高速に少ないメモリで行うこと。【解決手段】本発明は、基本ページにパーツを貼り付けることができ、パーツの表示と非表示を切り替える画像表示装置において、基本ページとパーツとを画像データに変換する画像データ変換部１１３と、画像データ変換部１１３によって変換された基本ページの画像データおよびパーツの画像データを保存するページ画像記憶部３２と、パーツ割付領域に対応した基本部分画像と、パーツが表示された場合のパーツ割付領域に対応したパーツ部分画像とを保存する部分画像記憶部３３と、パーツの表示が指定された場合にはパーツ部分画像をパーツ割付領域に表示し、パーツの非表示が指定された場合には基本部分画像をパーツ割付領域に表示するよう入れ替えを制御するページ表示制御部１１２とを備えている。【選択図】        図２
2004191537.tif 000002
【特許請求の範囲】
【請求項１】
基本ページのパーツ割付領域にパーツを貼り付けることができ、パーツの表示と非表示を切り替える画像表示装置において、
前記基本ページと前記パーツとを画像データに変換する画像データ変換手段と、
前記画像データ変換手段によって変換された前記基本ページの画像データおよび前記パーツの画像データを保存するページ画像記憶手段と、
前記パーツが表示されていない状態での前記基本ページの画像データにおける前記パーツ割付領域に対応した部分（基本部分画像）と、前記パーツが表示された状態での前記基本ページの画像データおよび前記パーツの画像データとが合成された後の画像データにおける前記パーツ割付領域に対応した部分（パーツ部分画像）とを保存する部分画像記憶手段と、
前記ページ画像記憶手段から読み出した前記基本ページの画像データを表示する制御を行うとともに、前記パーツの表示が指定された場合には前記部分画像記憶手段から読み出した前記パーツ部分画像を前記基本ページの画像データにおける前記パーツ割付領域に対応した部分と入れ替えて表示し、前記パーツの非表示が指定された場合には前記部分画像記憶手段から読み出した前記基本部分画像を前記パーツ割付領域に対応した部分と入れ替えて表示するよう制御する表示制御手段と
を備えることを特徴とする画像表示装置。
【請求項２】
前記パーツ割付領域毎に対応する画像データを管理する部分画像管理手段を備えており、
前記表示制御手段は、前記部分画像管理手段で管理されている前記パーツ割付領域毎に対応する画像データを個々に入れ替える制御を行う
ことを特徴とする請求項１記載の画像表示装置。
【請求項３】
基本ページにパーツを貼り付けることができ、パーツの表示と非表示を切り替える画像表示方法において、
前記基本ページと前記パーツとを画像データに変換する工程と、
前記基本ページの画像データを表示した後、前記パーツの画像データを表示する場合には、パーツ割付領域にある基本ページの画像データの一部（基本部分画像）および前記パーツの画像データを表示した後の前記パーツ割付領域にある画像データの一部（パーツ部分画像）を保存する工程と、
前記基本ページの画像データを表示する制御を行うとともに、前記パーツの表示が指定された場合には前記パーツ部分画像を前記基本ページの画像データにおける前記パーツ割付領域に対応した部分と入れ替えて表示し、前記パーツの非表示が指定された場合には前記基本部分画像を前記パーツ割付領域に対応した部分と入れ替えて表示するよう制御する工程と
を備えることを特徴とする画像表示方法。
【発明の詳細な説明】
【０００１】
【発明の属する技術分野】
本発明は、文字、図形、自然画像などからなる描画データをＣＲＴ（陰極線管）等の表示デバイスに表示する画像表示装置および画像表示方法に関する。
【０００２】
【従来の技術】
パーソナルコンピュータなどの情報処理装置においては、ファイルに保存されている文書データを閲覧するアプリケーションソフトウエアが存在する。一般にそのようなアプリケーションソフトウエアは、情報処理装置上のＯＳ（Ｏｐｅｒａｔｉｏｎ  Ｓｙｓｔｅｍ）が管理するＧＵＩ（Ｇｒａｐｈｉｃａｌ  Ｕｓｅｒ  Ｉｎｔｅｒｆａｃｅ）上のウィンドウに文書の内容をページ毎に表示するようになっている。
【０００３】
ユーザはＧＵＩを通して表示したいページ番号を指定したり、「次ページ」や「前ページ」に進むボタンを使うことで所望のページを閲覧することができる。このような文書閲覧ソフトウエアが動作するＯＳには、図形、文字、イメージ等の描画オブジェクトをウィンドウ上に描画するＡＰＩ（Ａｐｐｌｉｃａｔｉｏｎ  Ｐｒｏｇｒａｍｍｉｎｇ  Ｉｎｔｅｒｆａｃｅ）を備えており、アプリケーションソフトウエアはこのＡＰＩを使ってウィンドウにページの内容を描画することができる。
【０００４】
ところで、ＧＵＩを持つＯＳ上のアプリケーションソフトウエアは、ＯＳからの指示があった時にページを再描画しなくてはならない。例えば、隠れていたウィンドウが全面に表示されるようになった場合や、画面をスクロールした場合には、ページの再描画が必要になる。再描画処理は一般に時間がかかるため、アプリケーションソフトウエアはウィンドウに直接描画するのではなく、ページの内容をオフスクリーンバッファと呼ばれるメモリ上に描画処理を行い、描画の結果得られるビットマップデータをウィンドウに転送するように作られることが多い。
【０００５】
つまり、一度描画した結果は、記憶領域サイズが許す限り保存しておき、再度同一ページの表示が要求された場合には、保存されているビットマップをウィンドウに転送することで高速な表示を実現している。
【０００６】
さて、近年、文書の閲覧アプリケーションの中には、オリジナルの文書に付加的なオブジェクトを追加して、ユーザの使い勝手を向上しているものがある。例えば、大量のページからなる文書を閲覧する場合、どこまでページを閲覧したかを記憶するためにページにタグ（付箋）を貼りつける技術が存在する（例えば、特許文献１）。この技術によると、タグが貼られたページを検索するのが容易になり、ユーザは迅速に閲覧したいページにたどり着くことができる。
【０００７】
他にもユーザの使用する場面に合わせて様々な付加的オブジェクトが存在する。例えば、マーカーとテキストは、オリジナルの文書の添削に便利である。文書の添削者は、オリジナルの文書の修正すべき部分にマーカーでマークし、その近くに修正内容を記述したテキストボックスを張り付けることで、修正内容を文書作成者に知らせることができる。
【０００８】
このような場面では、オリジナルの内容と修正内容の見比べるために、マーカーの表示／非表示を高速に切り替える機能が必要となる（以降では、元々のページの内容を基本ページ、基本ページの上に付加的に追加できる描画オブジェクトをパーツと呼ぶ。）。
【０００９】
ページの内容は、一度ビットマップに変換してからウィンドウに保存すると記述したが、パーツの描画は直接ウィンドウに描画するのが一般的である。パーツは一般にデータサイズ、描画領域ともに小さく、また、描画にかかる時間もあまりかからない。そのため、一度描画した結果（ビットマップ）を保存しても、ページの再描画の高速化には貢献しなかった。
【００１０】
しかし、近年は、アプリケーションソフトウエアが提供しているパーツ以外にユーザが独自に作ったパーツもページに貼り付けられるようになっている。このようなパーツは、ユーザ独自のイメージを含んでいたり、透過処理を含んでいたりして描画処理に時間がかかるものも多い。そのため、従来のようにパーツを毎回描画していたのでは、パーツの表示／非表示の切り替えに時間がかかりユーザにストレスを与えることになってしまう。
【００１１】
このような再描画処理を省き高速な表示を実現する技術として、特許文献２が開示されている。この技術では、基本ページの画像と各パーツの画像を別々に作成しておき、基本ページの画像上にパーツの画像を合成することによって、表示用画像データを作成し表示するというものである。基本ページと各パーツの画像を保存しておいて、基本ページとパーツの合成を行うため、合成されたページの表示は高速に行うことができるという利点がある。
【００１２】
【特許文献１】
特開平４−３１０１７６号公報
【特許文献２】
特開２００２−６２８６４号公報
【００１３】
【発明が解決しようとする課題】
ところで、基本ページやパーツは、ＰＤＬ（Ｐａｇｅ  Ｄｅｓｃｒｉｐｔｉｏｎ  Ｌａｎｇｕａｇｅ）データからなっていることが多い。ＰＤＬデータは、図形、文字、ビットマップ等を描画する抽象的な命令から構成される。
【００１４】
ＰＤＬデータの中には、ラスターオペレーション（ＲＯＰ）をサポートするものもある。ＲＯＰとは、画像データと描画すべきオブジェクトの画像データの論理演算を画素レベルで行い、その演算結果を画像データとして書き込む処理である。
【００１５】
したがって、描画先の色情報が必須となる。しかし、特許文献２に記載の発明では、基本ページと各パーツとが各々独立してＲＩＰ処理できることが前提となっている。パーツ内のＰＤＬデータにＲＯＰ描画が含まれている場合、基本ページの画像とパーツの画像との論理演算を行って合成しなくてはならない。したがって、単純にパーツだけを別々にＲＩＰして基本ページと合成することは不可能である。
【００１６】
本発明は、上記問題点に鑑みてなされたものであり、その目的とするところは、基本ページ上にパーツを張り付けられる表示装置において、パーツの表示、非表示の切り替えを高速に少ないメモリで行うことを目的とする。
【００１７】
【課題を解決するための手段】
上記目的を達成するために、本発明の画像表示装置は、基本ページにパーツを貼り付けることができ、パーツの表示と非表示を切り替える画像表示装置において、基本ページとパーツとを画像データに変換する画像データ変換手段と、画像データ変換手段によって変換された基本ページの画像データおよびパーツの画像データを保存するページ画像記憶手段と、パーツが表示されていない状態での基本ページの画像データにおけるパーツ割付領域に対応した部分（基本部分画像）と、パーツが表示された状態での基本ページの画像データおよびパーツの画像データとが合成された後の画像データにおけるパーツ割付領域に対応した部分（パーツ部分画像）とを保存する部分画像記憶手段と、ページ画像記憶手段から読み出した基本ページの画像データを表示する制御を行うとともに、パーツの表示が指定された場合には部分画像記憶手段から読み出したパーツ部分画像を基本ページの画像データにおけるパーツ割付領域に対応した部分と入れ替えて表示し、パーツの非表示が指定された場合には部分画像記憶手段から読み出した基本部分画像をパーツ割付領域に対応した部分と入れ替えて表示するよう制御する表示制御手段とを備えている。
【００１８】
このような本発明では、基本ページ上に貼り付けられたパーツの表示、非表示の切り替え時に、ページの画像データの一部を描画済みの画像データで置き換えるため、所望の画像データを高速に作成することができる。また、画像の置き換えはパーツが張られる部分だけであるため、保存すべき画像データのサイズも小さく抑えることができ、省メモリでの表示切り替えが可能となる。
【００１９】
【発明の実施の形態】
以下、本発明の好適な実施形態を説明する。図１は、本実施形態に係る画像表示装置を説明するブロック図である。本実施形態の画像表示装置は、主として携帯端末に組み込まれたアプリケーションプログラムおよび各種ハードウェアによって実現されるものである。
【００２０】
ＣＰＵ（Ｃｅｎｔｒａｌ  Ｐｒｏｃｅｓｓｉｎｇ  Ｕｎｉｔ）１は、システムバスを介して各部を制御するものである。ＲＯＭ（Ｒｅａｄ  Ｏｎｌｙ  Ｍｅｍｏｒｙ）２は、主にＯＳ１０と文書表示のアプリケーションプログラム１１を記憶する部分である。
【００２１】
ＲＡＭ（Ｒａｎｄｏｍ  Ａｃｃｅｓｓ  Ｍｅｍｏｒｙ）３は、文書データ３１を記憶したり、ページ画像記憶部３２、部分画像記憶部３３、ワーク領域３４を構成する。入力デバイス４は、キーボードやペン入力手段、タッチパネル等から成る。ディスプレイ５は液晶パネル等の表示手段であり、ディスプレイインターフェイス５１を介して制御される。
【００２２】
（アプリケーションプログラムの説明）
アプリケーションプログラム１０は、図４と図５に示す概観を持つ。このプログラムを起動すると、図４に示すようにウィンドウが立ち上がる。ウィンドウは、ユーザ指示ボタンＵＢを含む部分とページ画像Ｇを表示する部分と表示状態Ｓを示す部分からなる。
【００２３】
（ユーザ指示ボタンの説明）
ユーザ指示ボタンＵＢは、ユーザからの指示を受ける部分であり、「Ｏｐｅｎ」、「Ｐｒｅｖ」、「Ｎｅｘｔ」、「Ｐａｒｔｓ」というボタンからなっている。「Ｏｐｅｎ」は文書を開くことを指示するボタンであり、「Ｏｐｅｎ」を押すと文書を開くダイアログが起動し、ユーザがファイルを選択できるようになっている。「Ｐｒｅｖ」は現在表示中のページの前のページを表示することを指示するボタン、「Ｎｅｘｔ」は現在表示中の次のページの表示を指示するボタンである。
【００２４】
「Ｐａｒｔｓ」ボタンは、パーツの画像を表示する／しないを切り替えるためのボタンである。パーツ表示中に「Ｐａｒｔｓ」ボタンを押下すると、パーツ非表示モードでページを表示することになり、パーツ非表示中に「Ｐａｒｔｓ」ボタンを押下すると、パーツ表示モードでページを表示する。図４はパーツ表示状態、図５はパーツ非表示状態での概観である。
【００２５】
（表示状態ウィンドウの説明）
表示状態Ｓを示すウィンドウ（表示状態ウィンドウ）は、現在表示中のページの番号とパーツの表示モードを示すためのウィンドウである。「Ｐｒｅｖ」や「Ｎｅｘｔ」ボタンでページ送りを行うと、それに伴いページ番号が変化する。また、「Ｐａｒｔｓ」ボタンを押下すると、パーツ表示モードはＯＮからＯＦＦに、あるいはＯＦＦからＯＮに変化する。
【００２６】
（ページ画像部分の説明）
このウィンドウの中心部分には、ページ画像Ｇが表示される。図４の例では、３ページの文書のうち１ページ目を表示した状態である。また、この時のモードはパーツ表示モードであるため、付箋、マーカー、テキストボックスも基本ページ上に表示されている。
【００２７】
（アプリケーションプログラム内部の説明）
図２は、本実施形態の画像表示方法で適用されるアプリケーションプログラムの内部構成を示す図である。このアプリケーションプログラムは、ユーザ指示部１１１、ページ表示制御部１１２、画像データ変換部１１３、部分画像管理部１１４、ページ画像記憶部３２、部分画像記憶部３３、およびページ画像転送部１１５からなる。
【００２８】
ユーザ指示部１１１は、ユーザからの指示を受信する機能を持つ。本携帯端末では、マウスなどのデバイス経由でユーザが指示を行うものとする。ウィンドウ上のユーザ指示ボタンＵＢ（図４、図５参照）をユーザがマウスでクリックすると、ＯＳ経由でユーザ指示部１１１がその指示を受け取ることになる。
【００２９】
ページ表示制御部１１２は、ユーザ指示部１１１からの指示により、ページの表示を制御する。ユーザ指示部１１１からは、表示すべきページの番号、パーツ表示のＯＮ／ＯＦＦなどの指示が送られてくる。ページ表示制御部１１２は、画像データ変換部１１３、部分画像管理部１１４を使って表示すべきページの画像データをページ画像記憶部３２に生成し、ページ画像転送部１１５を使ってディスプレイ５（図１参照）にページの画像を表示する。
【００３０】
画像データ変換部１１３は、文書の特定ページのデータを解釈し、ディスプレイ５に表示できる形式の画像データを生成する。具体的には、基本ページの画像データとパーツの画像データとを、ページ表示制御部１１２からの指定に従って作成する。画像データはページ画像記憶部３２に書き込まれる。
【００３１】
部分画像管理部１１４は、ページ内のパーツ画像が描画される領域（パーツ割付領域）の画像を部分画像記憶部３３に保存し、ページ画像記憶部３２と部分画像記憶部３３間で画像データのスワップ（入れ替え）を行う。
【００３２】
ページ画像記憶部３２は、ページの画像データを記憶する。部分画像記憶部３３は、ページ画像中のパーツ画像が描画されるパーツ割付領域の画像を保存するための領域である。すなわち、部分画像記憶部３３は、基本ページの画像データにおけるパーツ割付領域に対応した部分（基本部分画像）と、基本ページにパーツが貼り付けられた状態で基本ページの画像データとパーツの画像データとが合成された後の画像データにおけるパーツ貼付領域に対応した部分（パーツ部分画像）とを記憶する。なお、本実施形態では、ページ画像記憶部３２と部分画像記憶部３３は、図１に示すＲＡＭ３に存在している。
【００３３】
ページ画像転送部１１５は、ページ画像記憶部３２に保存されているページの画像データをディスプレイ５（図１参照）に転送する。
【００３４】
次に、ページ表示制御部１１２の詳細を説明する。ページ表示制御部１１２は、状態管理のため、以下の変数を持つ。
１．カレントページ番号…現在表示しているページの番号を保存する。
２．基本ページ描画状態…ＯＮかＯＦＦの値を取る。ＯＮの場合は基本ページが描画済みであることを示し、ＯＦＦの場合は基本ページが描画済みでないことを示す。初期値はＯＦＦである。カレントページ番号が更新されるタイミングで初期値に戻される。
３．パーツ描画状態…ＯＮかＯＦＦの値を取る。ＯＮの場合は、ページ画像上にパーツを描画した状態であることを示す。ＯＦＦの場合は、ページ画像上にＰａｒｔｓを描画していない状態であることを示す。初期値はＯＦＦである。カレントページ番号が更新されるタイミングで初期値に戻される。
４．部分画像保存状態…未保存、基本ページ保存済み、パーツ保存済みのいずれかの値を取る。未保存は、部分画像を部分画像記憶部に保存していないことを示す。基本ページ保存済みは、ページ内でパーツが存在する領域の基本ページの画像を保存した状態であることを示す。パーツ保存済みは、ページ上のパーツの画像を保存した状態であることを示す。初期値は未保存である。カレントページ番号が更新されるタイミングで初期値に戻される。
【００３５】
次に、図３のフローチャートに沿って本実施形態の画像表示方法であるページ表示制御部の処理について説明する。なお、図３に示すフローチャートでは、「パーツ」を「ｐａｒｔｓ」と示している。この処理に先立ち、図２に示すユーザ指示部１１１からページ番号とパーツ表示モード（ＯＮ／ＯＦＦ）がページ表示制御部１１２に通知される。
【００３６】
この通知を受けるとページ表示制御部１１２は、図３のステップＳ３０１から処理を開始する。ステップＳ３０２では、基本ページが描画済みかどうかを調べる。これは、状態変数である基本ページ描画状態を検査することによって行われる。ステップＳ３０２で否定と判定された場合には、ステップＳ３０３に進み基本ページを描画する。
【００３７】
描画処理は、図２における画像データ変換部１１３によって文書データ内のページを表示用の画像データに変換する処理に相当する。描画結果はページ画像記録部３２に保存される。次に、ステップＳ３０４へ進み、パーツ描画状態をＯＦＦに設定する。
【００３８】
次のステップＳ３０５では、ユーザからのパーツ指定を判定する。パーツ指定がない場合はステップＳ３０６へ進み、部分画像保存状態を未保存に設定し、ステップＳ３１１へ進む。ステップＳ３１１では、ページ画像記憶部３２に保存されたページ画像をディスプレイ５に転送する。
【００３９】
ステップＳ３０５でパーツ指定がありと判定された場合にはステップＳ３０７へ進み、基本ページ上のパーツ割付領域の画像データを保存する。この場合には図７に示すように、各パーツの領域（パーツ割付領域）毎に基本ページの部分画像が部分画像記憶部３３に保存され、各パーツの領域（パーツ割付領域）毎に位置、サイズ、画像へのポインタからなるテーブルが作られる。
【００４０】
次に、ステップＳ３０８に進み、部分画像保存状態を基本ページ保存済みに更新する。ステップＳ３０９では、パーツをページ画像データ上に描画する。描画は画像データ変換部１１３によって行われる。ステップＳ３１０では、パーツ描画状態をＯＮに更新して、ステップＳ３１１に進む。
【００４１】
ステップＳ３０２で基本ページが描画済みであると判定された場合はステップＳ３１３へ進み、パーツ指定があるかどうかを判定する。パーツ指定がありと判定された場合はステップＳ３１４に進み、パーツ描画状態を調べる。ここで、パーツ描画状態がＯＮである場合には、ユーザの指定通りの画像がページ画像記憶部に保存済みであるため、ステップＳ３１１へ進んでページ画像データを転送するだけでよい。
【００４２】
ステップＳ３１４でパーツ描画状態がＯＦＦである場合はステップＳ３１５に進み、部分画像保存状態を判定する。部分画像保存状態が未保存の場合はステップＳ３０７に進み、基本ページ上のパーツ割付領域の保存をしてから、パーツを描画することになる。
【００４３】
部分画像保存状態が基本ページ保存済みの場合はステップＳ３０９に進み、パーツ画像の描画をすることになる。部分画像保存状態がパーツ保存済みの場合にはステップＳ３１６に進み、基本ページ上のパーツ描画領域の画像と部分画像保存テーブルの無いようをスワップ（入れ替え）する（ステップＳ３１６を実行直前の部分画像管理テーブルは、図６に示す状態になっている）。
【００４４】
これにより、ページ画像データはパーツが描画された状態となり、部分画像記憶部３３には、基本ページの部分画像が保存されることになる。次に、ステップＳ３１７へ進み、部分画像保存状態を基本ページ保存済みに更新する。この後はステップＳ３１０に進む。
【００４５】
ステップＳ３１３の判定でパーツ指定なしの場合にはステップＳ３１８に進み、パーツ描画状態を調べる。パーツ描画状態がＯＦＦの場合には、ユーザの指定通りの画像がページ画像記憶部に保存済みであるためステップＳ３１１に進み、ページ画像データを転送するだけでよい。
【００４６】
ステップＳ３１３の判定でパーツ指定ありの場合にはステップＳ３１９に進み、基本ページ上のパーツ描画領域の画像と部分画像保存テーブルの内容をスワップする。
【００４７】
次に、ステップＳ３２０に進み、部分画像保存状態を更新する。この更新処理では、元々の部分画像保存状態が基本ページ保存済みならばパーツ保存済みに、パーツ保存済みならば基本ページ保存済みに変更する。ステップＳ３２０では、部分画像保存状態が未保存にならないことは保証されている。次にステップＳ３２１に進み、パーツ描画状態をＯＦＦに設定し、ステップＳ３１１に進む。
【００４８】
このような画像表示装置および画像表示方法によって、パーツの付される部分（パーツ割付領域）だけパーツが表示された場合と表示されない場合との部分画像を記憶しておき、パーツの表示／非表示の切り替えがあった場合にはこれらの部分画像だけを入れ替える処理を行うことで高速な切り替え処理が可能となる。また、パーツ割付領域の部分画像だけを記憶するため、記憶容量も少なくて済むというメリットがある。
【００４９】
なお、本実施形態では情報携帯端末を例に説明したが、本発明はこれに限ること無く、情報処理装置にも適用可能である。
【００５０】
【発明の効果】
以上説明したように、本発明によれば、基本ページ上にパーツを張り付けられる表示装置において、パーツの表示、非表示の切り替えを高速に行うことが可能となるとともに、少ないメモリ容量で行うことが可能となる。
【図面の簡単な説明】
【図１】本実施形態に係る画像表示装置の一例である情報携帯端末を説明するブロック図である。
【図２】本実施形態に係る画像表示方法で適用されるアプリケーションプログラムのブロック図である。
【図３】本実施形態に係る画像表示方法を説明するフローチャートである。
【図４】文書表示アプリケーションのユーザインタフェース画面（パーツ表示モード）の一例を示す図である。
【図５】文書表示アプリケーションのユーザインタフェース画面（パーツ非表示モード）の一例を示す図である。
【図６】本実施形態における部分画像の管理（パーツ保存時）を説明する図である。
【図７】本実施形態における部分画像の管理（基本ページ保存時）を説明する図である。
【符号の説明】
１…ＣＰＵ、２…ＲＯＭ、３…ＲＡＭ、４…入力デバイス、５…ディスプレイ、１０…ＯＳ、１１…アプリケーションプログラム、３１…文書データ、３２…ページ画像記憶部、３３…部分画像記憶部、３４…ワーク領域、５１…ディスプレイインターフェイス、１１１…ユーザ支持部、１１２…ページ表示制御部、１１３…画像データ変換部、１１４…部分画像管理部、１１５…ページ画像転送部
【図１】
2004191537.tif 000003
【図２】
2004191537.tif 000004
【図３】
2004191537.tif 000005
【図４】
2004191537.tif 000006
【図５】
2004191537.tif 000007
【図６】
2004191537.tif 000008
【図７】
2004191537.tif 000009